(57)【要約】【課題】地紋が埋め込まれた画像データから地紋を高精度に消去する地紋消去装置、地紋消去方法、地紋消去プログラム、画像処理装置を提供することを目的とする。【解決手段】地紋が埋め込まれた画像データ２から地紋を消去する地紋消去装置１であって、地紋消去対象である画像データから地紋を消去する為の地紋消去処理を行う地紋消去手段１２と、地紋消去処理後の画像データから地紋が消去されているかを判定する為の地紋消去判定処理を行う地紋消去判定手段１３と、地紋消去手段１２及び地紋消去判定手段１３の処理を制御する地紋消去制御手段１１とを有することにより上記課題を解決する。【選択図】図１
2008187508.tif 000002
【特許請求の範囲】
【請求項１】
地紋が埋め込まれた画像データから地紋を消去する地紋消去装置であって、
地紋消去対象である画像データから地紋を消去する為の地紋消去処理を行う地紋消去手段と、
地紋消去処理後の前記画像データから地紋が消去されているかを判定する為の地紋消去判定処理を行う地紋消去判定手段と、
前記地紋消去手段及び地紋消去判定手段の処理を制御する地紋消去制御手段と
を有することを特徴とする地紋消去装置。
【請求項２】
前記地紋消去判定手段は、複数種類の地紋消去判定処理による判定結果に基づき、地紋消去処理後の前記画像データから地紋が消去されているかを判定することを特徴とする請求項１記載の地紋消去装置。
【請求項３】
前記地紋消去制御手段は、前記地紋消去判定手段により前記画像データから地紋が消去されていると判定するまで前記地紋消去手段に地紋消去処理を繰り返し要求することを特徴とする請求項１記載の地紋消去装置。
【請求項４】
前記地紋消去制御手段は、前記地紋消去手段による地紋消去処理の回数が所定値を超えると、前記地紋消去手段への地紋消去処理の要求を中止することを特徴とする請求項３記載の地紋消去装置。
【請求項５】
前記地紋消去判定手段は、地紋消去処理前の前記画像データ及び地紋消去処理後の前記画像データの少なくとも一部から画素情報を取得し、その画素情報を用いて地紋消去判定処理を行うことを特徴とする請求項１記載の地紋消去装置。
【請求項６】
地紋が埋め込まれた画像データから地紋を消去する地紋消去装置における地紋消去方法であって、
地紋消去対象である画像データから地紋を消去する為の地紋消去処理を行う地紋消去ステップと、
地紋消去処理後の前記画像データから地紋が消去されているかを判定する為の地紋消去判定処理を行う地紋消去判定ステップと
を有することを特徴とする地紋消去方法。
【請求項７】
前記地紋消去判定ステップは、複数種類の地紋消去判定処理による判定結果に基づき、地紋消去処理後の前記画像データから地紋が消去されているかを判定することを特徴とする請求項６記載の地紋消去方法。
【請求項８】
前記地紋消去判定ステップにより前記画像データから地紋が消去されていると判定するまで前記地紋消去ステップの地紋消去処理を繰り返し行うことを特徴とする請求項６記載の地紋消去方法。
【請求項９】
前記地紋消去ステップによる地紋消去処理の回数が所定値を超えると、地紋消去処理を中止することを特徴とする請求項８記載の地紋消去方法。
【請求項１０】
前記地紋消去判定ステップは、地紋消去処理前の前記画像データ及び地紋消去処理後の前記画像データの少なくとも一部から画素情報を取得し、その画素情報を用いて地紋消去判定処理を行うことを特徴とする請求項６記載の地紋消去方法。
【請求項１１】
記憶装置、演算処理装置を含む構成であり、地紋が埋め込まれた画像データから地紋を消去する地紋消去装置において実行される地紋消去プログラムであって、
前記演算処理装置を
地紋消去対象である画像データから地紋を消去する為の地紋消去処理を行う地紋消去手段と、
地紋消去処理後の前記画像データから地紋が消去されているかを判定する為の地紋消去判定処理を行う地紋消去判定手段と、
前記地紋消去手段及び地紋消去判定手段の処理を制御する地紋消去制御手段と
して機能させることを特徴とする地紋消去プログラム。
【請求項１２】
前記地紋消去判定手段は、複数種類の地紋消去判定処理による判定結果に基づき、地紋消去処理後の前記画像データから地紋が消去されているかを判定することを特徴とする請求項１１記載の地紋消去プログラム。
【請求項１３】
前記地紋消去制御手段は、前記地紋消去判定手段により前記画像データから地紋が消去されていると判定するまで前記地紋消去手段に地紋消去処理を繰り返し要求することを特徴とする請求項１１記載の地紋消去プログラム。
【請求項１４】
前記地紋消去制御手段は、前記地紋消去手段による地紋消去処理の回数が所定値を超えると、前記地紋消去手段への地紋消去処理の要求を中止することを特徴とする請求項１３記載の地紋消去プログラム。
【請求項１５】
前記地紋消去判定手段は、地紋消去処理前の前記画像データ及び地紋消去処理後の前記画像データの少なくとも一部から画素情報を取得し、その画素情報を用いて地紋消去判定処理を行うことを特徴とする請求項１１記載の地紋消去プログラム。
【請求項１６】
地紋が埋め込まれた画像データから地紋を消去し、地紋を消去した後の画像データを処理する画像処理装置であって、
地紋消去対象である画像データから地紋を消去する為の地紋消去処理を行う地紋消去手段と、
地紋消去処理後の前記画像データから地紋が消去されているかを判定する為の地紋消去判定処理を行う地紋消去判定手段と、
前記地紋消去手段及び地紋消去判定手段の処理を制御し、地紋が消去された地紋消去処理後の前記画像データに対する処理を要求する地紋消去制御手段と、
前記地紋消去制御手段からの前記画像データに対する要求に基づき、地紋が消去された地紋消去後の前記画像データを処理する画像データ処理手段と
を有することを特徴とする画像処理装置。
【請求項１７】
前記地紋消去判定手段は、複数種類の地紋消去判定処理による判定結果に基づき、地紋消去処理後の前記画像データから地紋が消去されているかを判定することを特徴とする請求項１６記載の画像処理装置。
【請求項１８】
前記地紋消去制御手段は、前記地紋消去判定手段により前記画像データから地紋が消去されていると判定するまで前記地紋消去手段に地紋消去処理を繰り返し要求することを特徴とする請求項１６記載の画像処理装置。
【請求項１９】
前記地紋消去制御手段は、前記地紋消去手段による地紋消去処理の回数が所定値を超えると、前記地紋消去手段への地紋消去処理の要求を中止することを特徴とする請求項１８記載の画像処理装置。
【請求項２０】
前記地紋消去判定手段は、地紋消去処理前の前記画像データ及び地紋消去処理後の前記画像データの少なくとも一部から画素情報を取得し、その画素情報を用いて地紋消去判定処理を行うことを特徴とする請求項１６記載の画像処理装置。
【発明の詳細な説明】
【技術分野】
【０００１】
本発明は、地紋消去装置、地紋消去方法、地紋消去プログラム、画像処理装置に係り、特に地紋が埋め込まれた画像データから地紋を消去する地紋消去装置、地紋消去方法、地紋消去プログラム、画像処理装置に関する。
【背景技術】
【０００２】
近年、コピー機や複合機の高性能化に伴い、紙に印刷された機密文書の不正な流出が問題になっている。コピー機や複合機の高性能化に伴い、ユーザはオリジナルの原稿と見分けがつかないコピーを大量に生成したり、原稿をスキャンして電子文書化したりすることが容易になっている。
【０００３】
このような問題に対処するため、機密文書の中には地紋印刷により地紋が埋め込まれて印刷されているものがあった。地紋印刷とは、コピーすると浮き出す隠し文字列を原稿の背景に埋め込んで印刷するものである。地紋印刷では、隠し文字列を大きなドット、模様を小さなドットで、大きなドットと小さなドットとの濃度が均一になるように印刷することにより、隠し文字列を目立たなくしている。なお、地紋印刷された原稿がコピーされた場合、コピー機等は大きなドットで印刷されている隠し文字列のみを読み取る為、隠し文字が浮き出るように印刷する。
【０００４】
ところで、従来のコピー機等の中には、正当なユーザによる原稿のコピーや新たな地紋の追加等を行うため、地紋の消去を行えるものがあった。地紋の消去は、原稿から地紋印刷時に埋め込まれた大きなドットと小さなドットとを除去することで行われる。例えば地紋の消去は、原稿の地肌除去機能を利用して行われていた（例えば特許文献１参照）。
【特許文献１】特開２００３−３１９１８０号公報
【発明の開示】
【発明が解決しようとする課題】
【０００５】
しかしながら、地紋が埋め込まれた原稿から地紋印刷時に埋め込まれた大きなドットと小さなドットとを完全に消去することは容易でない為、地紋消去処理の後、地紋印刷時に埋め込まれた大きなドットと小さなドットとが残ってしまう場合があった。原稿から古い地紋を消去できていない状態で、例えば新たな地紋を原稿に埋め込んでしまった場合は古い地紋が新たな地紋に影響を与えてしまう可能性があり、問題であった。
【０００６】
本発明は、上記の点に鑑みなされたもので、地紋が埋め込まれた画像データから地紋を高精度に消去する地紋消去装置、地紋消去方法、地紋消去プログラム、画像処理装置を提供することを目的とする。
【課題を解決するための手段】
【０００７】
上記課題を解決する為、本発明は、地紋が埋め込まれた画像データから地紋を消去する地紋消去装置であって、地紋消去対象である画像データから地紋を消去する為の地紋消去処理を行う地紋消去手段と、地紋消去処理後の前記画像データから地紋が消去されているかを判定する為の地紋消去判定処理を行う地紋消去判定手段と、前記地紋消去手段及び地紋消去判定手段の処理を制御する地紋消去制御手段とを有することを特徴とする。
【０００８】
また、上記課題を解決する為、本発明は、地紋が埋め込まれた画像データから地紋を消去する地紋消去装置における地紋消去方法であって、地紋消去対象である画像データから地紋を消去する為の地紋消去処理を行う地紋消去ステップと、地紋消去処理後の前記画像データから地紋が消去されているかを判定する為の地紋消去判定処理を行う地紋消去判定ステップとを有することを特徴とする。
【０００９】
また、上記課題を解決する為、本発明は、記憶装置、演算処理装置を含む構成であり、地紋が埋め込まれた画像データから地紋を消去する地紋消去装置において実行される地紋消去プログラムであって、前記演算処理装置を地紋消去対象である画像データから地紋を消去する為の地紋消去処理を行う地紋消去手段と、地紋消去処理後の前記画像データから地紋が消去されているかを判定する為の地紋消去判定処理を行う地紋消去判定手段と、前記地紋消去手段及び地紋消去判定手段の処理を制御する地紋消去制御手段として機能させることを特徴とする。
【００１０】
さらに、上記課題を解決する為、本発明は、地紋が埋め込まれた画像データから地紋を消去し、地紋を消去した後の画像データを処理する画像処理装置であって、地紋消去対象である画像データから地紋を消去する為の地紋消去処理を行う地紋消去手段と、地紋消去処理後の前記画像データから地紋が消去されているかを判定する為の地紋消去判定処理を行う地紋消去判定手段と、前記地紋消去手段及び地紋消去判定手段の処理を制御し、地紋が消去された地紋消去処理後の前記画像データに対する処理を要求する地紋消去制御手段と、前記地紋消去制御手段からの前記画像データに対する要求に基づき、地紋が消去された地紋消去後の前記画像データを処理する画像データ処理手段とを有することを特徴とする。
【００１１】
なお、本発明の構成要素、表現または構成要素の任意の組合せを、方法、装置、システム、コンピュータプログラム、記録媒体、データ構造などに適用したものも本発明の態様として有効である。
【発明の効果】
【００１２】
本発明によれば、地紋が埋め込まれた画像データから地紋を高精度に消去する地紋消去装置、地紋消去方法、地紋消去プログラム、画像処理装置を提供可能である。
【発明を実施するための最良の形態】
【００１３】
次に、本発明を実施するための最良の形態を、以下の実施例に基づき図面を参照しつつ説明していく。なお、本実施例では、地紋が埋め込まれた画像データから地紋を消去する地紋消去装置及び画像処理装置の一例として複合機（ＭＦＰ）を例に説明するが、他の装置や機器等であってもよい。
【００１４】
図１は本発明による複合機の一例のブロック図である。図１の複合機１は、スキャン部１０，地紋消去制御部１１，地紋消去部１２，地紋消去判定部１３，プリント部１４を有する構成である。なお、地紋消去制御部１１，地紋消去部１２及び地紋消去判定部１３はスキャン部１０に含まれる構成であってもよい。
【００１５】
スキャン部１０はスキャン（読込み）指示に応じて原稿スキャンを行う。図１は地紋が埋め込まれた原稿（地紋埋込原稿）２をスキャンする例を表している。地紋消去制御部１１は地紋消去要求に応じて地紋消去部１２及び地紋消去判定部１３を制御する。地紋消去部１２は地紋消去要求に応じて地紋消去処理を行う。地紋消去判定部１３は地紋検知要求に応じて「地紋消去判定方法１」及び「地紋消去判定方法２」による地紋消去判定処理を行う。プリント部１４は印刷（プリント）要求に応じて印刷処理を行う。図１は地紋が消去された原稿３を印刷する例を表している。
【００１６】
図１に示す複合機１は例えば図２〜図４に示す手順により処理を行う。図２は地紋が正常に消去されたときの処理を表す一例のシーケンス図である。ステップＳ１では、例えばユーザからスキャン部１０がスキャン指示を受ける。スキャン指示を受けると、スキャン部１０はステップＳ２に進み、原稿スキャンを行う。
【００１７】
スキャン部１０は、例えばユーザからの指示又は設定により、原稿スキャンを行った後でステップＳ３に進む。なお、スキャン部１０は例えば原稿スキャンにより読み込んだ画像データに地紋が埋め込まれていればステップＳ３に進むようにしてもよい。ステップＳ３では、スキャン部１０が地紋消去制御部１１に対して地紋消去要求を行う。
【００１８】
地紋消去要求を受けると、地紋消去制御部１１はステップＳ４に進み、地紋消去部１２に対して地紋消去要求を行う。地紋消去要求を受けると、地紋消去部１２はステップＳ５に進み、原稿スキャンにより読み込んだ画像データから地紋を消去する為の地紋消去処理を行う。なお、地紋消去処理は既存の技術を利用すればよい。ステップＳ６に進み、地紋消去部１２は地紋消去処理後の画像データ（地紋消去画像データ）を地紋消去制御部１１に送信する。
【００１９】
地紋消去画像データを受信すると、地紋消去制御部１１はステップＳ７に進み、地紋消去判定部１３に対して地紋検知要求を行う。地紋検知要求を受けると、地紋消去判定部１３はステップＳ８に進み、地紋消去画像データから地紋が消去されているかを判定する為の地紋消去判定方法１による地紋消去判定処理を行う。更に、ステップＳ９に進み、地紋消去判定部１３は地紋消去画像データから地紋が消去されているかを判定する為の地紋消去判定方法２による地紋消去判定処理を行う。地紋消去判定方法１及び地紋消去判定方法２は、種類の異なる地紋消去判定方法であればよい。なお、地紋消去判定方法１及び地紋消去判定方法２の詳細は後述する。
【００２０】
ステップＳ１０に進み、地紋消去判定部１３は地紋消去判定方法１及び地紋消去判定方法２による地紋消去判定処理の判定結果を地紋消去制御部１１に通知する。地紋消去判定処理の判定結果を受信すると、地紋消去制御部１１はステップＳ１１に進み、地紋消去判定処理の判定結果に基づき、地紋消去処理後の画像データから地紋が消去されているかを判定する。図２では、地紋消去制御部１１が、地紋消去処理後の画像データから地紋が消去されていると判定する。
【００２１】
ステップＳ１２に進み、地紋消去制御部１１はプリント部１４に対してプリント要求を行う。プリント要求を受けると、プリント部１４はステップＳ１３に進み、プリント要求に応じて地紋消去画像データの印刷処理を行い、地紋が消去された原稿を印刷する。印刷処理の後、プリント部１４はステップＳ１４に進み、原稿の印刷が成功した旨を地紋消去制御部１１に通知する。そして、地紋消去制御部１１はステップＳ１５に進み、地紋が消去された原稿の印刷が成功した旨をスキャン部１０に通知して、図２のシーケンス図で表された処理を終了する。
【００２２】
図３は地紋が正常に消去されなかったときの処理（中断）を表す一例のシーケンス図である。なお、図３のシーケンス図におけるステップＳ２１〜Ｓ３０は、図２のシーケンス図におけるステップＳ１〜Ｓ１０と同様である為、説明を省略する。
【００２３】
地紋消去判定処理の判定結果を受信すると、地紋消去制御部１１はステップＳ３１に進み、地紋消去判定処理の判定結果に基づき、地紋消去処理後の画像データから地紋が消去されているかを判定する。図３は、地紋消去制御部１１が、地紋消去処理後の画像データから地紋が消去されていないと判定した例である。
【００２４】
ステップＳ３２に進み、地紋消去制御部１１は後述の中断判定処理を行い、地紋が埋め込まれた画像データから地紋を消去する処理を中断すると判定する。そして、地紋消去制御部１１はステップＳ３３に進み、地紋が埋め込まれた画像データから地紋を消去して印刷する処理を中断した旨をスキャン部１０に通知して、図３のシーケンス図で表された処理を終了する。
【００２５】
図４は地紋が正常に消去されなかったときの処理（再消去）を表す一例のシーケンス図である。なお、図４のシーケンス図におけるステップＳ４１〜Ｓ５０は、図２のシーケンス図におけるステップＳ１〜Ｓ１０と同様である為、説明を省略する。
【００２６】
地紋消去判定処理の判定結果を受信すると、地紋消去制御部１１はステップＳ５１に進み、地紋消去判定処理の判定結果に基づき、地紋消去処理後の画像データから地紋が消去されているかを判定する。図４は、地紋消去制御部１１が、地紋消去処理後の画像データから地紋が消去されていないと判定した例である。
【００２７】
ステップＳ５２に進み、地紋消去制御部１１は後述の中断判定処理を行い、地紋が埋め込まれた画像データから地紋を消去する処理を続行すると判定する。そして、地紋消去制御部１１はステップＳ４４に戻り、処理を繰り返し行う。
【００２８】
図２〜図４のシーケンス図で表された処理を実現する為の地紋消去制御部１１の処理は図５のフローチャートに示すようになる。図５は、地紋消去制御部の処理を表した一例のフローチャートである。
【００２９】
ステップＳ６１に進み、地紋消去制御部１１は原稿スキャンによりスキャン部１０から読み込まれた画像データ（スキャンデータ）を地紋消去対象の画像データ（地紋消去対象データ）とする。ステップＳ６２に進み、地紋消去制御部１１は地紋消去部１２に地紋消去要求を行い、地紋消去部１２に地紋消去処理を行わせる。ステップＳ６３に進み、地紋消去制御部１１は地紋消去処理回数をカウントアップする。ステップＳ６４に進み地紋消去制御部１１は地紋消去判定部１３に地紋検知要求を行い、地紋消去判定部１３に地紋消去判定処理を行わせる。
【００３０】
ステップＳ６５に進み、地紋消去制御部１１は地紋消去判定部１３から地紋消去判定処理の判定結果を受信し、地紋消去処理後の画像データから地紋を検知できないと判定するとステップＳ６８に進み、プリント部１４に対してプリント要求を行ったあと、図５のフローチャートで表された処理を終了する。なお、地紋消去処理後の画像データから地紋を検知できると判定すると、地紋消去制御部１１はステップＳ６６に進み、地紋消去処理回数が所定値を超えたか否かを判定する。
【００３１】
地紋消去処理回数が所定値（一定値）を超えていないと判定すると、地紋消去制御部１１はステップＳ６７に進み、地紋消去処理後の地紋消去対象データを、次の地紋消去対象データとしたあと、ステップＳ６２に戻る。なお、地紋消去処理回数が所定値を超えたと判定すると、地紋消去制御部１１は図５のフローチャートで表された処理を終了する。
【００３２】
図２〜図４のシーケンス図で表された処理を実現する為の地紋消去判定部１３の処理は図６のフローチャートに示すようになる。図６は、地紋消去判定部の処理を表した一例のフローチャートである。
【００３３】
地紋検知要求を受けると、地紋消去判定部１３はステップＳ７１に進み、地紋消去処理前の画像データから所定（特定）の１ラインの画素情報を取得する。ステップＳ７１に続いてステップＳ７２に進み、地紋消去判定部１３は地紋消去処理後の画像データから所定の１ラインの画素情報を取得する。
【００３４】
ステップＳ７３に進み、地紋消去判定部１３は地紋消去画像データから地紋が消去されているかを判定する為の地紋消去判定方法１による地紋消去判定処理を行う。なお、地紋消去判定方法１による地紋消去判定処理の詳細は後述する。
【００３５】
ステップＳ７４に進み、地紋消去判定部１３は地紋消去画像データから地紋が消去されているかを判定する為の地紋消去判定方法２による地紋消去判定処理を行う。なお、地紋消去判定方法２による地紋消去判定処理の詳細は後述する。
【００３６】
ステップＳ７５に進み、地紋消去判定部１３は地紋消去判定方法１及び地紋消去判定方法２による地紋消去判定処理の判定結果が、両方とも地紋消去画像データから地紋が消去されたという判定結果であるか否かを判定する。
【００３７】
両方とも地紋消去画像データから地紋が消去されたという判定結果であれば、地紋消去判定部１３はステップＳ７７に進み、地紋が消去されたと判定し、図６のフローチャートで表された処理を終了する。また、両方とも地紋消去画像データから地紋が消去されたという判定結果でなければ、地紋消去判定部１３はステップＳ７６に進み、地紋が消去されていないと判定し、図６のフローチャートで表された処理を終了する。
【００３８】
なお、図６のフローチャートではステップＳ７１，Ｓ７２において、地紋消去処理前の画像データから所定（特定）の１ラインの画素情報を取得する例を表しているが、複数ラインの画素情報を取得するようにしてもよい。
【００３９】
図７は、地紋消去判定方法１による地紋消去判定処理を表した一例のフローチャートである。また、図８及び図９は、地紋消去判定方法１による地紋消去判定処理を説明する為のイメージ図である。
【００４０】
図８は、地紋消去処理前の画像データ１００及び地紋消去処理後の画像データ１０１から同じラインの画素情報を取得するイメージを表している。図９（ａ）は地紋消去処理前の画像データ１００から取得したラインの画素情報（ラインデータ）の一例を表したものである。図９（ｂ）は地紋消去処理後の画像データ１０１から取得したラインの画素情報の一例を表したものである。
【００４１】
ステップＳ８１に進み、地紋消去判定部１３は図９（ｂ）に示す地紋消去処理後のラインデータと図９（ａ）に示す地紋消去処理前のラインデータとの差を図９（ｃ）に示すように画素単位で計算する。ステップＳ８２に進み、地紋消去判定部１３は図９（ｃ）から差の大きい画素（ある閾値以上）の数を計算する。
【００４２】
ステップＳ８３に進み、地紋消去判定部１３は差の大きい画素の数が、ある閾値以上であるかを判定する。差の大きい画素の数が、ある閾値以上であれば、地紋消去判定部１３はステップＳ８５に進み、地紋が消去されたと判定し、図７のフローチャートで表された処理を終了する。また、ある閾値以上でなければ、地紋消去判定部１３はステップＳ８４に進み、地紋が消去されていないと判定し、図７のフローチャートで表された処理を終了する。
【００４３】
図１０は、地紋消去判定方法２による地紋消去判定処理を表した一例のフローチャートである。また、図１１は、地紋消去判定方法２による地紋消去判定処理を説明する為のイメージ図である。
【００４４】
ステップＳ９１に進み、地紋消去判定部１３は地紋消去処理前の画像データから取得したラインの画素情報（ラインデータ）を２値化する。ステップＳ９２に進み、地紋消去判定部１３は２値化したラインデータから連続しない黒画素の数を計算する。
【００４５】
なお、図１１（ａ）はステップＳ９１及びステップＳ９２の処理の一例を示す。地紋消去判定部１３は地紋消去処理前のラインデータを２値化する。図１１（ａ）では、黒判定の画素を１、白判定の画素を０とすることで２値化している。地紋消去判定部１３は２値化したラインデータから連続しない黒画素（１）の数を計算する。
【００４６】
ステップＳ９３に進み、地紋消去判定部１３は地紋消去処理後の画像データから取得したラインの画素情報（ラインデータ）を２値化する。ステップＳ９４に進み、地紋消去判定部１３は２値化したラインデータから連続しない黒画素の数を計算する。
【００４７】
なお、図１１（ｂ）はステップＳ９３及びステップＳ９４の処理の一例を示す。地紋消去判定部１３は地紋消去処理後のラインデータを２値化する。図１１（ｂ）では、黒判定の画素を１、白判定の画素を０とすることで２値化している。地紋消去判定部１３は２値化したラインデータから連続しない黒画素（１）の数を計算する。
【００４８】
ステップＳ９５に進み、地紋消去判定部１３は、地紋消去処理前のラインデータから計算した連続しない黒画素の数と地紋消去処理後のラインデータから計算した連続しない黒画素の数との差を計算する。ステップＳ９６に進み、地紋消去判定部１３は地紋消去処理前のラインデータから計算した連続しない黒画素の数と地紋消去処理後のラインデータから計算した連続しない黒画素の数との差が、ある閾値以上であるかを判定する。
【００４９】
地紋消去判定部１３は地紋消去処理前のラインデータから計算した連続しない黒画素の数と地紋消去処理後のラインデータから計算した連続しない黒画素の数との差が、ある閾値以上であれば、地紋消去判定部１３はステップＳ９８に進み、地紋が消去されたと判定し、図１０のフローチャートで表された処理を終了する。ある閾値以上でなければ、地紋消去判定部１３はステップＳ９７に進み、地紋が消去されていないと判定し、図１０のフローチャートで表された処理を終了する。
【００５０】
本発明によれば、地紋消去処理の後、地紋が埋め込まれた画像データから地紋が消去されたか否かを判定できる。したがって、本発明によれば、地紋が消去されていないと判定された画像データに対して繰り返し地紋消去処理を行うことができ、地紋が埋め込まれた画像データから地紋を高精度に消去できる。また、本発明によれば、地紋が消去されていないと判定された画像データに対する処理を中断できる。
【００５１】
本発明は、具体的に開示された実施例に限定されるものではなく、特許請求の範囲から逸脱することなく、種々の変形や変更が可能である。
【図面の簡単な説明】
【００５２】
【図１】本発明による複合機の一例のブロック図である。
【図２】地紋が正常に消去されたときの処理を表す一例のシーケンス図である。
【図３】地紋が正常に消去されなかったときの処理（中断）を表す一例のシーケンス図である。
【図４】地紋が正常に消去されなかったときの処理（再消去）を表す一例のシーケンス図である。
【図５】地紋消去制御部の処理を表した一例のフローチャートである。
【図６】地紋消去判定部の処理を表した一例のフローチャートである。
【図７】地紋消去判定方法１による地紋消去判定処理を表した一例のフローチャートである。
【図８】地紋消去判定方法１による地紋消去判定処理を説明するイメージ図である。
【図９】地紋消去判定方法１による地紋消去判定処理を説明するイメージ図である。
【図１０】地紋消去判定方法２による地紋消去判定処理を表した一例のフローチャートである。
【図１１】地紋消去判定方法２による地紋消去判定処理を説明するイメージ図である。
【符号の説明】
【００５３】
１    複合機
２    地紋が埋め込まれた原稿（地紋埋込原稿）
３    地紋が消去された原稿
１０    スキャン部
１１    地紋消去制御部
１２    地紋消去部
１３    地紋消去判定部
１４    プリント部
【図１】
2008187508.tif 000003
【図２】
2008187508.tif 000004
【図３】
2008187508.tif 000005
【図４】
2008187508.tif 000006
【図５】
2008187508.tif 000007
【図６】
2008187508.tif 000008
【図７】
2008187508.tif 000009
【図８】
2008187508.tif 000010
【図９】
2008187508.tif 000011
【図１０】
2008187508.tif 000012
【図１１】
2008187508.tif 000013